(57)【要約】【課題】厚さの異なる原稿に対しても良好に搬送を行うことができる原稿搬送装置を提供する。【解決手段】リブを有する複数のガイド部材により原稿の搬送路の少なくとも一部を形成している原稿搬送装置であって、前記ガイド部材の少なくとも一つが移動可能な可動ガイド部材であり、該可動ガイド部材の移動により前記搬送路の少なくとも一部の間隔を調整することを特徴とする原稿搬送装置。【選択図】        図２
2004256182.tif 000002
【特許請求の範囲】
【請求項１】
リブを有する複数のガイド部材により原稿の搬送路の少なくとも一部を形成している原稿搬送装置であって、
前記ガイド部材の少なくとも一つが移動可能な可動ガイド部材であり、該可動ガイド部材の移動により前記搬送路の少なくとも一部の間隔を調整することを特徴とする原稿搬送装置。
【請求項２】
前記可動ガイド部材は、前記搬送路中で原稿が重なる部分に設けられていることを特徴とする請求項１に記載の原稿搬送装置。
【発明の詳細な説明】
【０００１】
【発明の属する技術分野】
本発明は、主には複写機、プリンタ、ファックス等の画像形成装置の原稿搬送装置に関するものであり、本発明は原稿載置部に置かれた原稿を、順次送り出す原稿搬送装置に関する。
【０００２】
【従来の技術】
ストックされた原稿を１枚ずつ送り出すとともに、画像形成装置側に設けた読み取り手段の配設位置を含む搬送路を搬送させた後、原稿排出部に排出する構成の原稿搬送装置は多くの画像形成装置に付設され、有効に使用されている（例えば特許文献１参照）。
【０００３】
【特許文献１】
実開平３−８５３７７号公報
【０００４】
【発明が解決しようとする課題】
しかしながら、従来の原稿搬送装置は、搬送路の間隔が固定されているため、例えば原稿が通常の普通紙厚さでなく、厚紙のような厚手のものであった場合、狭い搬送路を厚手の原稿を搬送させるので、原稿と搬送路との摩擦が大きくなり用紙搬送負荷が大きくなっていた。従って、原稿を搬送するのに大きな駆動力を必要としていた。
【０００５】
また、狭い搬送路内で厚手の原稿を搬送させるので、搬送路内でのジャムの発生の確率も高くなっていた。
【０００６】
本発明はかかる課題に鑑みてなされたものであり、本発明の目的は、厚さの異なる原稿に対しても良好に搬送を行うことができる原稿搬送装置を提供することである。
【０００７】
【課題を解決するための手段】
本発明の目的は、下記の構成によって達成することができる。
【０００８】
（１）  リブを有する複数のガイド部材により原稿の搬送路の少なくとも一部を形成している原稿搬送装置であって、前記ガイド部材の少なくとも一つが移動可能な可動ガイド部材であり、該可動ガイド部材の移動により前記搬送路の少なくとも一部の間隔を調整することを特徴とする原稿搬送装置。
【０００９】
（２）  前記可動ガイド部材は、前記搬送路中で原稿が重なる部分に設けられていることを特徴とする（１）に記載の原稿搬送装置。
【００１０】
【発明の実施の形態】
本発明の原稿搬送装置について、以下にその実施の形態を図を用いて説明するが、本発明はこれに限定されない。また、以下の説明には用語等に対する断定的な表現が含まれている場合があるが、本発明の好ましい例を示すものであって、本発明の用語の意義や技術的な範囲を限定するものではない。
【００１１】
図１は本発明の原稿搬送装置を具備した画像形成装置を説明するための概略断面図であり、図２は本発明の原稿搬送装置について詳細に説明するための概略断面図である。
【００１２】
図１において、画像形成装置１は、画像読み取り部１０、レーザ書き込み部２０、画像形成部３０、給紙部４０、および用紙反転部５０とを主要構成要素として成り立っている。また、図示しない制御手段によって、画像形成を行うための各構成部分の制御が行われている。
【００１３】
画像読み取り部１０の上側に示すのは原稿搬送装置６０である。
画像読み取り部１０は、原稿Ｐを照明する照明ランプ１１０とミラー１１１を備えるとともに、図の左右方向に往復移動しうるように設けた第１ミラーユニット１１と、Ｖ型に配置した一対のミラー１２０を備えるとともに、光路長を保ちながら前記第１ミラーユニットと同方向に平行移動しうる第２ミラーユニット１２と、位置固定の投影レンズ１３と、撮像素子（ＣＣＤ）１４とを含む光学系からなる。
【００１４】
上記は、原稿搬送装置６０を使用せず、原稿Ｐを直接、原稿台１００上において複写する態様の説明であるが、前記光学系は原稿搬送装置６０により搬送される原稿の読み取り手段としても使用される。
【００１５】
その場合には、前記第１ミラーユニット１１および第２ミラーユニット１２は図中の位置よりも左側の位置に固定されるが、詳細は後述する。
【００１６】
上記いずれの態様であっても、撮像素子１４に結像した画像情報は、画像処理され、画像データとして図示しないメモリに一旦格納される。
【００１７】
前記レーザ書き込み部２０は、図示せぬ半導体レーザから発生するレーザビームを偏向するポリゴンミラー２２０、ｆθレンズ２３０、ミラー２４０を含む。
【００１８】
前記半導体レーザは、前記メモリに格納された画像データに従って駆動制御される。
【００１９】
前記画像形成部３０は、画像データに対応した画像を最終的に用紙上に形成する部分であり、ドラム状の電荷保持体（実施の形態においては、ＯＰＣ感光体であり、以下、感光体ドラムという）３００と、感光ドラム３００の周囲に配し、前記感光体ドラム３００の周面を一様帯電するための帯電極（以下、帯電手段という）３１０、感光体ドラム３００の周面上に形成される静電潜像を可視像（トナー像）とするための、現像スリーブ３３３を含む現像器（以下、現像手段という）３３０、トナー像を後記する用紙上に転写せしめるための転写極（以下、転写手段という）３４０、用紙を感光体ドラム３００の周面から分離する分離極（以下、分離手段という）３５０および転写後の感光体ドラムを清掃するためのクリーニング手段３６０を備えてなる。
【００２０】
レーザ書き込み部２０におけるミラー２４０からの反射光は、帯電手段３１０と現像手段３３０との間を通り、感光体ドラム３００を照射する。
【００２１】
３７０は搬送ベルト、３８０は互いに圧着して回転するように構成した一対のローラからなる定着装置（定着手段）で、少なくとも一方のローラは加熱ローラである。
【００２２】
３８５および３９０はそれぞれ排紙手段で、それぞれ一対のローラからなる。３９５は定着後の用紙の通路を切り替えるための切替手段（切替部材）で、排紙手段３８５と３９０との間に設けてある。
【００２３】
給紙部４０は用紙を収納するための収納容器（以下、給紙トレイという）４００および給紙ローラ４１０を主要素とする。
【００２４】
給紙トレイ４００は装置固定部に対して引き出し可能であり、また、給紙トレイ内の底部には用紙載置板４０５を可回動に設けてある。
【００２５】
４５０は作用板で、その基部は用紙収納区域の外側に設けた給紙トレイ４００の壁を介して設けた回転軸４６０上に固定してある。
【００２６】
作用板４５０の回動は、接触部を介して用紙載置板４０５の自由端に作用し、用紙載置板４０５を反時計方向に回動させる関係を有する。
【００２７】
用紙載置板４０５の回動は、その上に載置された用紙束の一端部側の上昇を生ぜしめる。
【００２８】
また、用紙載置板４０５上にある用紙束の最上位紙が、固定位置にある前記給紙ローラ４１０の下面に所定圧力で当接し、その位置で停止するように、駆動源（モータ）に対する供給電力が遮断され、回転軸４６０および作用板４５０を介して、前記用紙載置板４０５がそのままの状態を保持するように構成してある。
【００２９】
画像形成数の増大に従って前記用紙が減少すると、前記用紙載置板４０５を更に回動させ、最上位紙と前記給紙ローラ４１０との関係を常に一定に保つように駆動源を制御するようになっている。
【００３０】
４２０は転写用の用紙、４３０は搬送ローラを示し、用紙４２０の供給通路４２５上に適宜の数、設けてある。
【００３１】
４４０はレジストローラで、前記感光体ドラム３００上に形成されるトナー像と重畳するように用紙４２０を再送すべく駆動制御される。
【００３２】
用紙反転部５０は、切替手段３９５の位置から下方向に形成された搬送路５００、搬送路５００上に設けた複数対の搬送ローラ５１０、搬送路５００の途中から直交する方向に延び、供給通路４２５に繋がっている搬送路５２０及び搬送路５２０上に配設した複数対の搬送ローラ５３０を主要素とする。
【００３３】
図２において、原稿搬送装置６０は、原稿載置部を構成する原稿載置台６００、処理済み（読み取りされたの意）の原稿排出部を構成する収納台６３０とともに搬送部を含む。
【００３４】
原稿搬送装置６０の搬送部は、原稿給紙ローラ６０２、ピックアップローラ６０３、分離ローラ６０４、レジストローラ６０５、搬送ローラ６０６、６０８、排出ローラ６０９、反転ローラ６１０、離間ローラ６１１を備えている。さらに、分離ローラ６０４とレジストローラ６０５との間に搬送路６２０、レジストローラ６０５と搬送ローラ６０６と反転ローラ６１０との間に搬送路６２１、搬送ローラ６０６と搬送ローラ６０８との間に搬送路６２２、搬送ローラ６０８と排出ローラ６０９との間に搬送路６２３、反転ローラ６１０と離間ローラ６１１との間に搬送路６２４を備えている。各搬送路はガイド部材で形成されている。また、搬送路６２４を形成するガイド部材６２５は本発明に係る可動ガイド部材であり、図示しないソレノイドでガイド部材６２５が移動可能となっており、搬送路６２４の間隔を調整することができる。ガイド部材は、搬送時に原稿と接触する部分には、原稿との摩擦を軽減するためにリブが設けられている。また、搬送路６２１には、原稿搬送路切替部材（以下、単に切替部材という）６１５、搬送路６２３と搬送路６２４の連結部分には切替部材６１６が設けられており、切替部材６１５、６１６を切り替えることにより原稿の搬送される方向を変更することができるようになっている。
【００３５】
原稿給紙ローラ６０２、ピックアップローラ６０３以外のローラはローラ対である。
【００３６】
６０１は原稿載置台６００上に載置される原稿Ｐの両側部（面）を規制するように両側に配置した原稿ガイド手段であり、本実施の態様においては、原稿Ｐのサイズに合わせて中央基準で幅方向（図の表裏方向）に移動でき、固定位置を保てるようになっている。
【００３７】
上記構成において、原稿載置台６００に置かれた原稿Ｐの片面を複写する場合、原稿給紙ローラ６０２で送り出された原稿Ｐはピックアップローラ６０３、分離ローラ６０４で制御されて１枚のみが送り出され、搬送路６２０を搬送され、さらにレジストローラ６０５を介して搬送路６２１を搬送される。さらに、実線位置に位置する切替部材６１５、搬送ローラ６０６を介して搬送路６２２を搬送され、複写面を読み取り位置１０５で読み取られた後、搬送ローラ６０８および破線位置にある切替部材６１６を介して搬送路６２３を搬送され排出ローラ６０９に達し、排出ローラ６０９により収納台６３０上に排出される。
【００３８】
なお、原稿搬送装置６０を使用する場合、画像読み取り部１０を構成する光学系の第１ミラーユニット１１は、読み取り位置１０５の下方に位置づけられ、第２ミラーユニット１２も所定位置に位置づけられる。
【００３９】
読み取り位置１０５の下側には第１ミラーユニット１１のミラー１１１が位置固定されており、照明ランプ１１０の露光に基づく原稿Ｐからの反射光が当該ミラー１１１および第２ミラーユニット上のミラー１２０および投影レンズ１３を介して、順次、撮像素子１４上に結像される。
【００４０】
撮像素子１４上に結像される画像情報は、画像処理された後、画像データとしてメモリに一旦格納される。
【００４１】
一方、画像形成部３０を構成する各手段あるいは部材等は、画像形成動作に応じて作動し、帯電手段３１０は、回転する感光体ドラム３００の周面を一様に帯電する。
【００４２】
次に、メモリに格納した画像データを読み出し、この画像データに従ったレーザ露光を前記感光体ドラム３００の周面に照射し、静電潜像を形成する。
【００４３】
静電潜像を現像手段３３０により現像し、トナー像（可視像）とする。
この間、選択された給紙部４０の給紙トレイ４００から供給された指定サイズの用紙４２０は、レジストローラ４４０にその先端が食い込んだ状態で一瞬停止状態となるが、前記感光体ドラム３００上のトナー画像と重畳するタイミングで駆動制御される前記レジストローラの回転に伴って再給紙され、転写領域に向けられる。
【００４４】
転写領域における転写手段３４０の作用により、感光体ドラム３００上のトナー画像は順次前記用紙４２０上に転写され、また、用紙４２０は分離手段３５０の作用により感光体ドラム３００の周面から分離される。
【００４５】
分離された用紙４２０は搬送ベルト３７０を介して定着手段３８０に導かれ、定着手段３８０の加熱、加圧作用により、トナーが溶融され、用紙４２０に定着させられる。
【００４６】
画像形成が、原稿の片面コピーモードである場合には、定着手段３８０を通過した用紙は、排紙ローラ３８５および３９０を経て、図示しない機外の排紙トレイに排出される。
【００４７】
なお、転写工程後の感光体ドラム３００の周面はクリーニング手段３６０で清掃された後、新たな画像形成に供せられる。
【００４８】
次に、原稿搬送装置６０における原稿の両面を複写する場合の原稿Ｐの搬送について図３〜８を用いて説明する。なお、片面を複写するのと同じ動作については説明を省略する場合がある。
【００４９】
片面複写の場合と同様に搬送路６２０に送り込まれた１枚の原稿Ｐは、レジストローラ６０４を介して、搬送路６２１を搬送され、破線位置に位置する切替部材６１５により、図３の矢印方向の反転ローラ６１０へと搬送される。反転ローラ６１０は反時計方向に回転している。
【００５０】
反転ローラ６１０により搬送される原稿Ｐは、離間ローラ６１１に繋がる搬送路６２４を搬送され、図４に示すように原稿Ｐの他端部が反転ローラ６１０に挟持される態様になるまで移送される。ここまでの原稿搬送において、原稿Ｐの読み取りは行われない。
【００５１】
原稿Ｐの他端部が反転ローラ６１０に挟持される状態になった後、反転ローラ６１０、離間ローラ６１１は時計方向に回転制御され、原稿Ｐの他端部は先端部となり、原稿Ｐは図４の矢印方向に搬送される。
【００５２】
原稿Ｐの先端が前記切替部材６１５に到達する前に、当該切替部材６１５は破線位置に位置し、読み取り位置１０５、搬送路６２２に繋がる搬送路を形成する。原稿Ｐは切替部材６１５により形成された搬送路を搬送され、搬送ローラ６０６を介し、搬送路６２２を搬送され、読み取り位置１０５において裏面が読み取られ、前述した画像形成装置による画像形成が実行される。さらに、裏面が読み取られた原稿Ｐは、搬送ローラ６０８を介して、搬送路６２３を搬送され、搬送路６２３の途中で実線位置に位置する切替部材６１６により、今度は搬送路６２４を搬送され、図５に示すように離間ローラ６１１へと搬送される。
【００５３】
原稿Ｐは離間ローラ６１１に到達し、図６に示すように原稿Ｐの他端部が離間ローラ６１１に挟持される態様になるまで移送される。このとき、離間ローラ６１１は反時計方向に回転制御されている。原稿Ｐの他端部が離間ローラ６１３に挟持される状態になった後、反転ローラ６１０、離間ローラ６１３は時計方向に回転制御され、原稿Ｐの他端部は先端部となって図６に示した矢印方向に搬送される。
【００５４】
原稿Ｐは、搬送路６２４を搬送され、反転ローラ６１０を介して、破線位置にある切替部材６１５により、搬送ローラ６０６、搬送路６２２へと搬送され、さらに読み取り位置１０５において表面が読み取られ、前述した画像形成装置による画像形成が実行される。さらに、表面が読み取られた原稿Ｐは、搬送路６２３を搬送され、今度は破線位置に切り替えられた切替部材６１６により、図７に示すように、排出ローラ６０９に到達する。
【００５５】
原稿Ｐは、排出ローラ６０９により収納台６３０上に排出される。
なお、原稿Ｐの搬送における原稿搬送装置６０の各構成部分の制御については、画像形成装置の制御手段で行われるか、又は、原稿搬送装置６０の図示しない制御手段によって行われる。
【００５６】
原稿搬送装置６０での原稿Ｐの搬送において、原稿Ｐの両面を複写する場合の搬送では、図５に示したように、原稿Ｐの用紙サイズによっては、搬送路６２４において、原稿Ｐが重なった状態となる。
【００５７】
特に原稿Ｐが厚紙のように普通紙以上に厚さを有するものである場合には、原稿Ｐと搬送路６２４との間に摩擦が生じ、搬送負荷が大きくなる場合がある。
【００５８】
このように原稿の厚さにより搬送負荷が大きくなるような場合には、図８に示すように搬送路６２４を形成するガイド部材６２５を矢印の方向に移動させる制御を行い、搬送路６２４の間隔を広くする。これにより原稿Ｐと搬送路６２４との摩擦が軽減され搬送負荷が大きくならない。
【００５９】
本発明は、このように原稿と搬送路での摩擦が大きくなるような部分のガイド部材を搬送路が広くなるように移動させる制御を行うことにより、原稿と搬送路とでの摩擦を軽減させ、原稿の搬送負荷が大きくならないようにしている。これにより、ランニングコストが削減され、さらに、搬送負荷が抑えられることから搬送路内でのジャムの発生も抑えることができる。
【００６０】
なお、上述の説明では、搬送路内で原稿Ｐが重なった部分のみの搬送路を形成するガイド部材６２５を移動させているが、ガイド部材６２５のような可動ガイド部材は、原稿が重なる部分の搬送路以外の搬送路でも用いてもよく、厚みのある原稿を搬送する際に、原稿と搬送路とで摩擦による搬送負荷が大きくなる搬送路の部分すべてに可動ガイド部材を設けておき、厚い原稿の場合にはこれらの可動ガイド部材を搬送路が広くなるように移動させる制御を行って原稿を搬送するようにしてもよい。
【００６１】
【発明の効果】
本発明により、厚さの異なる原稿に対しても良好に搬送を行うことができる原稿搬送装置を提供することができた。
【図面の簡単な説明】
【図１】本発明の原稿搬送装置を具備した画像形成装置の概略断面図である。
【図２】本発明の原稿搬送装置の概略断面図である。
【図３】本発明の原稿搬送装置の原稿の搬送を説明するための図である。
【図４】本発明の原稿搬送装置の原稿の搬送を説明するための図である。
【図５】本発明の原稿搬送装置の原稿の搬送を説明するための図である。
【図６】本発明の原稿搬送装置の原稿の搬送を説明するための図である。
【図７】本発明の原稿搬送装置の原稿の搬送を説明するための図である。
【図８】本発明の原稿搬送装置の動作を説明するための図である。
【符号の説明】
１  画像形成装置
１０  画像読み取り部
２０  レーザ書き込み部
３０  画像形成部
４０  給紙部
５０  用紙反転部
６０  自動原稿搬送装置
６００  原稿載置台
６３０  収納台
【図１】
2004256182.tif 000003
【図２】
2004256182.tif 000004
【図３】
2004256182.tif 000005
【図４】
2004256182.tif 000006
【図５】
2004256182.tif 000007
【図６】
2004256182.tif 000008
【図７】
2004256182.tif 000009
【図８】
2004256182.tif 000010